(57)【要約】【課題】入力信号の品質の程度を判別させ得る波形表示装置を提供する。【解決手段】入力信号を所定の周期で測定して測定値を出力する測定部と、測定値を記憶する第１の記憶部と、入力信号用に設定された複数の判定エリアＺ１〜Ｚ４を互いに重なり合わせることなく隣接した状態で表示部５に表示するためのエリアデータを記憶する第２の記憶部と、第１の記憶部から測定値を読み出して入力信号の信号波形ＷＳ１を表示部５に表示させると共に第２の記憶部からエリアデータを読み出して複数の判定エリアＺ１〜Ｚ４を互いに重なり合うことなく隣接した状態で表示部５に表示させる制御部とを備えている。【選択図】図２
2006145267.tif 000002
【特許請求の範囲】
【請求項１】
入力信号を所定の周期で測定して測定値を出力する測定部と、前記測定値を記憶する第１の記憶部と、前記入力信号用に設定された複数の判定エリアを互いに重なり合わせることなく隣接した状態で前記表示部に表示するためのエリアデータを記憶する第２の記憶部と、前記第１の記憶部から前記測定値を読み出して前記入力信号の信号波形を表示部に表示させると共に前記第２の記憶部から前記エリアデータを読み出して前記複数の判定エリアを互いに重なり合うことなく隣接した状態で当該表示部に表示させる制御部とを備えている波形表示装置。
【請求項２】
前記制御部は、前記複数の判定エリアのうちの前記信号波形の一部または全部が属する判定エリアを特定し、その特定結果に基づく結果情報を報知する請求項１記載の波形表示装置。
【請求項３】
前記制御部は、前記結果情報を前記表示部に表示させて報知する請求項２記載の波形表示装置。
【請求項４】
前記第２の記憶部は、前記複数の判定エリアを前記表示部の横軸方向に沿って互いに重なり合わせることなく隣接した状態で表示するための前記エリアデータを記憶し、
前記制御部は、前記第２の記憶部から前記エリアデータを読み出して前記横軸方向に沿って前記複数の判定エリアを互いに重なり合うことなく隣接した状態で前記表示部に表示させる請求項１から３のいずれかに記載の波形表示装置。
【請求項５】
前記第２の記憶部は、前記複数の判定エリアを前記表示部の縦軸方向に沿って互いに重なり合わせることなく隣接した状態で表示するためのエリアデータを記憶し、
前記制御部は、前記第２の記憶部から前記エリアデータを読み出して前記縦軸方向に沿って前記複数の判定エリアを互いに重なり合うことなく隣接した状態で前記表示部に表示させる請求項１から３のいずれかに記載の波形表示装置。
【発明の詳細な説明】
【技術分野】
【０００１】
本発明は、入力信号の信号波形を表示する波形表示装置に関するものである。
【背景技術】
【０００２】
この種の波形表示装置として、特開平１１−１１８５３２号公報に開示された記録計が知られている。この記録計では、入力信号を測定した波形（信号波形）の許容範囲を表す波形判定エリアを基準波形の上下方向に予め設定された所定幅で自動的に生成して、信号波形と波形判定エリアとを表示手段に表示する。このため、測定者は、波形判定エリア内に信号波形が属しているか否かに基づいて信号波形の合否を判別することが可能となっている。
【特許文献１】特開平１１−１１８５３２号公報（第１−３頁）
【発明の開示】
【発明が解決しようとする課題】
【０００３】
ところが、従来の記録計には、以下の問題点がある。すなわち、この記録計では、信号波形と１つの波形判定エリアとを同時に表示して、この１つの波形判定エリア内に信号波形が属しているか否かを判別させている。したがって、この記録計には、波形判定エリア内に信号波形がすべて属している限り、非常に余裕があって合格した高品質なものも、ぎりぎりで合格した低品質なものも共に合格という同じ判定結果となる。具体的には、例えばロジックＩＣなどを判定対象体とする場合、ロジックＩＣから出力される信号波形の応答時間（遅延時間や立ち上がり時間等）が十分に短くて高品質なものも、応答時間が長くて不良に近い低品質なものも共に合格という同じ判定結果となる。このため、従来の記録計には、入力信号の品質の程度を的確に判別するのが困難であり、例えば判定対象体をランク毎に選別するのが困難であるという問題点が存在する。
【０００４】
本発明は、かかる問題点に鑑みてなされたものであり、入力信号の品質の程度を判別させ得る波形表示装置を提供することを主目的とする。
【課題を解決するための手段】
【０００５】
上記目的を達成すべく請求項１記載の波形表示装置は、入力信号を所定の周期で測定して測定値を出力する測定部と、前記測定値を記憶する第１の記憶部と、前記入力信号用に設定された複数の判定エリアを互いに重なり合わせることなく隣接した状態で前記表示部に表示するためのエリアデータを記憶する第２の記憶部と、前記第１の記憶部から前記測定値を読み出して前記入力信号の信号波形を表示部に表示させると共に前記第２の記憶部から前記エリアデータを読み出して前記複数の判定エリアを互いに重なり合うことなく隣接した状態で当該表示部に表示させる制御部とを備えている。
【０００６】
また、請求項２記載の波形表示装置は、請求項１記載の波形表示装置において、前記制御部は、前記複数の判定エリアのうちの前記信号波形の一部または全部が属する判定エリアを特定し、その特定結果に基づく結果情報を報知する。
【０００７】
また、請求項３記載の波形表示装置は、請求項２記載の波形表示装置において、前記制御部は、前記結果情報を前記表示部に表示させて報知する。
【０００８】
また、請求項４記載の波形表示装置は、請求項１から３のいずれかに記載の波形表示装置において、前記第２の記憶部は、前記複数の判定エリアを前記表示部の横軸方向に沿って互いに重なり合わせることなく隣接した状態で表示するための前記エリアデータを記憶し、前記制御部は、前記第２の記憶部から前記エリアデータを読み出して前記横軸方向に沿って前記複数の判定エリアを互いに重なり合うことなく隣接した状態で前記表示部に表示させる。
【０００９】
また、請求項５記載の波形表示装置は、請求項１から３のいずれかに記載の波形表示装置において、前記第２の記憶部は、前記複数の判定エリアを前記表示部の縦軸方向に沿って互いに重なり合わせることなく隣接した状態で表示するためのエリアデータを記憶し、前記制御部は、前記第２の記憶部から前記エリアデータを読み出して前記縦軸方向に沿って前記複数の判定エリアを互いに重なり合うことなく隣接した状態で前記表示部に表示させる。
【発明の効果】
【００１０】
請求項１記載の波形表示装置によれば、制御部が互いに重なり合うことなく隣接した状態で複数の判定エリアを表示部に表示させることにより、１つの判定エリアを表示させる従来の記録計と比較して、例えば、信号波形の属する判定エリアの数や信号波形の立ち上がりを完了する判定エリアが識別されるため、この識別された判定エリアに基づいて信号波形の立ち上がり時間や遅延時間などの入力信号の品質を測定者に的確に判別させることができる。この結果、この品質に基づいて判定対象体のランクを的確に判別させることができる。
【００１１】
また、請求項２記載の波形表示装置によれば、制御部が複数の判定エリアのうちの信号波形の一部または全部が属する判定エリアを特定し、この特定結果に基づく結果情報を報知することにより、信号波形の属する判定エリアを正確かつ迅速に識別させることができる結果、入力信号の品質を測定者に短時間でしかも的確に判別させることができる。
【００１２】
また、請求項３記載の波形表示装置によれば、制御部が結果情報を表示部に表示させて報知することにより、信号波形の属する判定エリアを一見するだけで容易に識別させることができるため、入力信号の品質を測定者に迅速に判別させることができる。
【００１３】
また、請求項４記載の波形表示装置によれば、制御部が第２の記憶部からエリアデータを読み出して横軸方向に沿って複数の判定判定エリアを互いに重なり合うことなく隣接した状態で表示部に表示させることにより、例えば立ち上がり時間などの時間軸に対する信号波形の電圧軸方向への変化の程度を信号波形の属する判定エリアによって特定することができるため、時間軸方向についての入力信号の品質を測定者に的確に判別させることができる。
【００１４】
また、請求項５記載の波形表示装置によれば、制御部が第２の記憶部からエリアデータを読み出して縦軸方向に沿って複数の判定エリアを互いに重なり合うことなく隣接した状態で表示部に表示させることにより、例えば振動する信号波形などの電圧軸方向への信号波形の変化の程度を信号波形の属する判定エリアの数によって特定することができるため、電圧軸方向についての入力信号の収束程度に関する品質を測定者に的確に判別させることができる。
【発明を実施するための最良の形態】
【００１５】
以下、本発明に係る波形表示装置について添付図面を参照して説明する。
【００１６】
最初に、波形表示装置１の構成について、図面を参照して説明する。
【００１７】
図１に示す波形表示装置１は、判定対象体（一例として、ロジックＩＣ：図示せず）からの入力信号Ｓ１の電気的パラメータ（例えば電圧）を所定周期で測定した測定値ＶＳに基づき、それぞれ後述する入力信号Ｓ１についての信号波形ＷＳおよび別個独立した複数のランク判定エリア（本発明における判定エリアに相当し、以下、単にエリアともいう）Ｚ１〜Ｚ５についての表示処理、並びに入力信号Ｓ１（信号波形ＷＳ）の一部または全部が各エリアＺ１〜Ｚ５のいずれに属するするかを特定するエリア特定処理などを実行する。ここでは、一例として、ロジックＩＣにローレベルからハイレベルに立ち上がる入力信号Ｓ０を入力して、この入力信号Ｓ０の入力に同期してロジックＩＣから出力される信号を入力信号Ｓ１として波形表示装置１に入力させて、このロジックＩＣの応答特性の良否、つまりロジックＩＣの品質の程度を測定者に最終的に判別させる例について説明する。
【００１８】
波形表示装置１は、測定部２、操作部３、制御部４、表示部５、ＶＲＡＭ６、ＲＯＭ７およびＲＡＭ８，９を備えて構成されている。測定部２は、Ａ／Ｄ変換器を備えて構成され、予め設定された所定条件が満たされたときに（一例として、ロジックＩＣへの入力信号Ｓ０が予め設定された電圧を超えたときに）、信号入力コネクタを介して入力した入力信号Ｓ１の電圧を所定周期で所定時間だけ測定（サンプリング）して２値データの測定値ＶＳを出力する。操作部３は、入力信号に対する複数のエリアを設定するためのエリア設定キー、および数値を入力する数値入力キーなどを備えて構成され、これらのキー操作に応じた操作信号Ｓ２を出力する。
【００１９】
制御部４は、波形表示装置１を総括的に制御すると共に、予め設定された動作条件に従って各種の処理を実行する。具体的には、制御部４は、後述する画像表示処理では、図２に示すように、入力信号Ｓ１についての信号波形ＷＳ１〜ＷＳ５（以下、各信号波形ＷＳ１〜ＷＳ５を区別しないときには信号波形ＷＳともいう）、および波形判定用の例えば５つのエリアＺ１〜Ｚ５等を表示部５の表示画面に表示させる。この場合、制御部４は、信号波形ＷＳ、エリアＺ１〜Ｚ５、電圧スケールＶおよび時間スケールＴ等をＶＲＡＭ６内に仮想的に描画することにより、これらを表示部５に表示させるための表示用データＤをＶＲＡＭ６内に生成する。また、制御部４は、後述するエリア特定処理を実行して、各エリアＺ１〜Ｚ５に信号波形ＷＳの一部または全部（この例では信号波形ＷＳの立ち上がり波形の一部）が属するエリアを特定すると共に、信号波形ＷＳの一部が属するエリア（Ｚ１〜Ｚ５のいずれか１つ以上）を表す特定結果表示Ａ（本発明における結果情報の一例）を図２に示すように表示部５の表示画面に表示（報知の一例）させる。この場合、制御部４は、表示部５の表示画面に対応するＲＡＭ９内の仮想平面上に入力信号Ｓ１についての波形判定用のエリアＺ１〜Ｚ５を描画して、入力信号Ｓ１に対するエリア特定処理を実行する。
【００２０】
表示部５は、一例としてカラー液晶パネルを備えて構成され、制御部４の制御に従い、信号波形ＷＳ、エリアＺ１〜Ｚ５、電圧スケールＶ、時間スケールＴおよび特定結果表示Ａなどをカラー表示する。ＶＲＡＭ６は、制御部４によって生成された表示用データＤを記憶する。ＲＯＭ７は、本発明における第２の記憶部に相当し、フラッシュＲＯＭで構成されて、制御部４の動作プログラムを記憶すると共に、各エリアＺ１〜Ｚ５を互いに重なり合わせることなく隣接した状態で表示部５の表示画面に表示するためのエリアデータＤａ〜Ｄｄを記憶する。ＲＡＭ８は、本発明における第１の記憶部に相当し、測定部２から出力されて制御部４の制御下で転送された測定値ＶＳ，ＶＳ・・を記憶する。ＲＡＭ９は、制御部４によって仮想平面に描画されたエリアＺ１〜Ｚ５を記憶する。
【００２１】
次に、波形表示装置１の全体的な動作について、図面を参照して説明する。
【００２２】
まず、入力信号Ｓ１のエリア特定処理の事前準備として、入力信号Ｓ１に対するエリア特定処理に用いるエリアＺ１〜Ｚ５を波形表示装置１に設定する。この場合、操作部３のエリア設定キーおよび数値入力キーを操作することで、各エリアＺ１〜Ｚ５のそれぞれの領域を示す図形または数値を入力する。この際に、制御部４が、この操作に従って操作部３から出力された図形または数値を示すデータに基づいて、エリアＺ１〜Ｚ５を示すエリアデータＤａ〜Ｄｄを生成してＲＯＭ７に記憶させる。この例では、エリアＺ１として、この領域内に入力信号Ｓ１の立ち上がり波形が属しているときに、つまり、入力信号Ｓ１がこの領域内のみを通過して立ち上がっているときに、この入力信号Ｓ１を出力したロジックＩＣを高速品として選別可能な領域を設定する。同様にして、エリアＺ２，Ｚ３，Ｚ４，Ｚ５としては、これらの各領域内のみに入力信号Ｓ１の立ち上がり波形が属しているときに、つまり、入力信号Ｓ１がこれらの領域内のみを通過して立ち上がっているときに、中高速品、中速品、低速品、および極く低速品としてそれぞれ選別可能な領域を設定する。この場合、入力信号Ｓ１の立ち上がり波形が複数のエリアに属しているときには、遅い方の速度の品として選別される。また、属するエリアの数が多いほど、立ち上がりが緩やかな品として選別される。さらに、エリアＺ５については、不合格品として判定するための領域であって、入力信号Ｓ１の立ち上がり波形がこの領域を通過して立ち上がっているときには、遅延時間が極めて遅い不合格品として選別される。具体的には、一例として、エリアＺ１としては、時間が０．７ｎｓ以上０．９ｎｓ未満で、電圧が０．８Ｖ以上３．２Ｖ以下の領域を設定する。同様にして、エリアＺ２〜Ｚ５としては、時間がそれぞれ０．９ｎｓ以上１．１ｎｓ未満、１．１ｎｓ以上１．３ｎｓ未満、１．３ｎｓ以上１．５ｎｓ未満、および１．５ｎｓ以上１．７ｎｓ未満で、電圧が共に０．８Ｖ以上３．２Ｖ以下の領域を設定する。以上により、エリア特定処理に用いるエリアＺ１〜Ｚ５が設定されて、エリア特定処理の事前準備が終了する。
【００２３】
次いで、判定対象体のロジックＩＣにおける信号出力端子と波形表示装置１の測定部２の信号入力コネクタとを相互に接続すると共に、ロジックＩＣにおける信号入力端子と測定部２の信号入力コネクタとを相互に接続した状態で、ロジックＩＣを作動させる。続いて、ロジックＩＣの信号入力端子にローレベルからハイレベルに立ち上がる入力信号Ｓ０を入力する。次いで、測定部２に入力される入力信号Ｓ０が所定電圧を超えたときに、ロジックＩＣから出力される入力信号Ｓ１を所定周期でサンプリングすることにより、入力信号Ｓ１についての測定値ＶＳ，ＶＳ・・を所定時間に亘って順次生成して出力する。また、制御部４が、測定部２から出力された測定値ＶＳ，ＶＳ・・をＲＡＭ８に順次記憶させる。
【００２４】
また、制御部４は、信号波形ＷＳ１およびエリアＺ１〜Ｚ５等を表示させる画像表示処理を実行する。この画像表示処理では、制御部４は、最初に、ＲＯＭ７に記憶させたエリアデータＤａ〜Ｄｄに基づくエリアＺ１〜Ｚ５、電圧スケールＶおよび時間スケールＴをＶＲＡＭ６の仮想平面上に仮想的に描画することにより、これらを表示させるための表示用データＤをＶＲＡＭ６内に生成する。この場合、制御部４は、各エリアＺ１〜Ｚ５の各領域がそれぞれ異なる色で識別可能に表示されるように表示用データＤを生成する。また、制御部４は、ＲＡＭ８に記憶させた測定値ＶＳ，ＶＳ・・に基づく信号波形ＷＳ１をエリアＺ１〜Ｚ５等と重ね合わさるようにして仮想平面上に仮想的に描画して表示用データＤをＶＲＡＭ６内に生成する。この場合、制御部４は、各エリアＺ１〜Ｚ５の各領域の色とは異なる色で信号波形ＷＳ１が表示されるように表示用データＤを生成する。続いて、表示部５は、ＶＲＡＭ６から表示用データＤを読み出して、表示用データＤに基づく波形表示画面（信号波形ＷＳ１およびエリアＺ１〜Ｚ５等）を表示画面に表示する。この場合、図２に示すように、エリアＺ１〜Ｚ５は、横軸（時間軸）方向に沿って、互いに重なり合うことなく隣接した状態で表示部５の表示画面にカラー表示される。具体的には、各エリアＺ１〜Ｚ５は、時間軸に対して０．２ｎｓ幅で、電圧軸に対しては共に２．４Ｖ幅の縦長で帯状の領域で表示される。この場合、１つのエリアではなく、細分化された５つのエリアＺ１〜Ｚ５が表示されているため、信号波形ＷＳ１の通過するエリアの数や信号波形ＷＳ１の立ち上がりを完了するエリアを識別するだけで、この識別したエリアに基づいてロジックＩＣの品質が測定者によって正確かつ容易に判別される。具体的には、信号波形ＷＳ１については、図２に示すように、エリアＺ１〜Ｚ５のうちのエリアＺ１内のみを通過すると識別されるため、信号波形ＷＳ１の立ち上がり時間が１つのエリア幅（この場合、０．２ｎｓ）の時間内であること、および、ロジックＩＣの入力信号Ｓ０が所定の電圧を超えてから信号波形ＷＳ１の立ち上がりが完了するまでの遅延時間がエリアＺ１に対応付けられている時間内（この例では、０．７ｎｓ以上０．９ｎｓ未満の時間内）であるというロジックＩＣの品質が測定者によって正確かつ容易に判別される。この結果、この入力信号Ｓ１を出力したロジックＩＣのランクが合格品であって高速品であると測定者によって的確に判別される。
【００２５】
一方、制御部４は、エリア特定処理を開始する。このエリア特定処理では、制御部４は、エリアＺ１〜Ｚ５をＶＲＡＭ６内の仮想平面上に仮想的に描画する際に、エリアＺ１〜Ｚ５をＲＡＭ９内の仮想平面上にも仮想的に描画する。また、制御部４は、信号波形ＷＳ１をＶＲＡＭ６内の仮想平面上に描画する際に、ＲＡＭ９内の仮想平面上に信号波形ＷＳ１を描画させたとしたときにその描画すべき位置にエリアＺ１〜Ｚ５が存在するか否かを判定する。また、制御部４は、信号波形ＷＳを描画すべき位置にエリアＺ１〜Ｚ５が存在すると判定したときに、いずれのエリアが存在したのかを特定する。この場合、制御部４は、図２に示すように、信号波形ＷＳ１がエリアＺ１〜Ｚ５のうちのエリアＺ１内にのみ存在するため、信号波形ＷＳ１がエリアＺ１内のみを通過すると特定する。続いて、制御部４は、この特定した結果を表す特定結果表示Ａ（この場合、同図に示す「通過Ｚ１」の文字）を信号波形ＷＳ１等と重ね合わさるように仮想平面内に仮想的に描画して表示用データＤをＶＲＡＭ６内に生成する。続いて、表示部５は、ＶＲＡＭ６から表示用データＤを読み出して、同図に示すように、信号波形ＷＳ１およびエリアＺ１〜Ｚ５と共に特定結果表示Ａ（「通過Ｚ１」の文字）を表示部５の表示画面に表示する。以上により、エリア特定処理が終了する。この場合、「通過Ｚ１」との特定結果表示Ａが表示部５の表示画面に表示されることにより、特定結果表示Ａを見るだけで信号波形ＷＳ１の属するエリアが正確かつ迅速に識別されるため、ロジックＩＣの品質が測定者によって正確かつ容易に判別される。この結果、この入力信号Ｓ１を出力したロジックＩＣのランクが合格品であって高速品であると測定者によって的確に判別される。
【００２６】
次いで、ロジックＩＣを順次交換して、上記と同様にして、各ロジックＩＣに対して画像表示処理およびエリア特定処理を実行する。これに応じて、各ロジックＩＣに対応する信号波形ＷＳ２〜ＷＳ５が表示部５の表示画面に表示されたものとする。この場合、上記と同様にして、各信号波形ＷＳ２〜ＷＳ５の通過するエリアの数や各信号波形ＷＳ２〜ＷＳ５の立ち上がりを完了するエリアを識別することにより、ロジックＩＣの品質が測定者によって的確に判別される。この結果、信号波形ＷＳ２〜ＷＳ５に対応する入力信号Ｓ１を出力したロジックＩＣのランクが測定者によって的確に判別される。
【００２７】
この場合、制御部４は、信号波形ＷＳ２については、エリアＺ１，Ｚ４，Ｚ５を通過することなくエリアＺ２，Ｚ３の２つのみを通過したと特定して、「通過Ｚ２，Ｚ３」との特定結果表示Ａを表示部５の表示画面に表示させる。このため、特定結果表示Ａを見るだけで信号波形ＷＳ２の属するエリアが正確かつ迅速に識別されて、信号波形ＷＳ２の立ち上がり時間が２つのエリア幅（この場合０．４ｎｓ）の時間内であること、および遅延時間がエリアＺ３（この場合、１．１ｎｓ以上１．３ｎｓ未満）の時間内であるというロジックＩＣの品質が測定者によって正確かつ容易に判別される。この結果、この入力信号Ｓ１を出力したロジックＩＣのランクが合格品であって中速品であると測定者によって的確に判別される。同様にして、制御部４は、信号波形ＷＳ３については、エリアＺ１，Ｚ２，Ｚ５を通過することなくエリアＺ３，Ｚ４の２つのみを通過したと特定して、「通過Ｚ３，Ｚ４」との特定結果表示Ａを表示部５の表示画面に表示させる。このため、信号波形ＷＳ３の立ち上がり時間が２つのエリア幅（この場合０．４ｎｓ）の時間内であること、および遅延時間がエリアＺ４（この場合、１．３ｎｓ以上１．５ｎｓ未満）の時間内であるというロジックＩＣの品質が測定者によって正確かつ容易に判別される。この結果、この入力信号Ｓ１を出力したロジックＩＣのランクが合格品であって低速品であると測定者によって的確に判別される。同様にして、制御部４は、信号波形ＷＳ４については、エリアＺ５を通過することなくエリアＺ１〜Ｚ４の４つを通過したと特定して、「通過Ｚ１〜Ｚ４」との特定結果表示Ａを表示部５の表示画面に表示させる。このため、信号波形ＷＳ４の立ち上がり時間が４つのエリア幅（この場合０．８ｎｓ）の時間内であること、および遅延時間がエリアＺ４（この場合、１．３ｎｓ以上１．５ｎｓ未満）の時間内であるというロジックＩＣの品質が測定者によって正確かつ容易に判別される。この結果、この入力信号Ｓ１を出力したロジックＩＣのランクが不合格品であって立ち上がりが緩やかな品であると測定者によって的確に判別される。一方、信号波形ＷＳ５については、制御部４は、エリアＺ１〜Ｚ４を通過することなく、その波形の一部がエリアＺ５のみを通過した、または合格品であったならば通過すべきエリアＺ１〜Ｚ４のいずれも通過しないと特定して、例えば「通過Ｚ５  ＮＧ」、または「不通過  ＮＧ」との特定結果表示Ａを表示部５の表示画面に表示させる。このため、信号波形ＷＳ５の遅延時間が極めて遅いことが測定者によって正確かつ容易に判別される。また、この入力信号Ｓ１を出力したロジックＩＣが不合格品であると測定者によって的確に判別される。
【００２８】
このように、この波形表示装置１によれば、制御部４が互いに重なり合うことなく隣接した状態で細分化した複数のエリアＺ１〜Ｚ５を表示部５の表示画面に表示させることにより、１つのエリアを表示させる従来の記録計と比較して、信号波形ＷＳの通過するエリアの数や信号波形ＷＳの立ち上がりを完了するエリアが識別されるため、この識別されたエリアに基づいて信号波形ＷＳの立ち上がり時間や遅延時間などの入力信号Ｓ１（信号波形ＷＳ）の品質を測定者に的確に判別させることができる。この結果、この品質に基づいてロジックＩＣなどの判定対象体のランクを的確に判別させることができる。
【００２９】
また、この波形表示装置１によれば、制御部４がエリアＺ１〜Ｚ５のうちの信号波形ＷＳの一部または全部が属するエリアを特定し、この特定結果に基づく特定結果表示Ａを報知することにより、信号波形ＷＳの属するエリアを正確かつ迅速に識別させることができる結果、入力信号Ｓ１の品質を測定者に短時間でしかも的確に判別させることができる。
【００３０】
また、この波形表示装置１によれば、制御部４が特定結果表示Ａを表示部５の表示画面に表示させて報知することにより、信号波形ＷＳの属するエリアを一見するだけで容易に識別させることができるため、入力信号Ｓ１の品質を測定者に迅速に判別させることができる。
【００３１】
また、この波形表示装置１によれば、制御部４が表示部５の表示画面の横軸方向に沿ってエリアＺ１〜Ｚ５を隣接した状態で表示させることにより、例えば立ち上がり時間などの時間軸に対する信号波形ＷＳの電圧軸方向への変化の程度を信号波形ＷＳの属するエリア（Ｚ１〜Ｚ５のいずれか）によって特定することができるため、時間軸方向に対する入力信号Ｓ１の品質を測定者に的確に判別させることができる。
【００３２】
なお、本発明は、上記の構成に限定されない。例えば、エリアＺ１〜Ｚ５を横軸（時間軸）方向に沿って隣接した状態で表示する構成について説明したが、エリアＺ１〜Ｚ５に代えて、図３に示す波形表示装置１Ａのように、縦軸（電圧軸）方向に沿って隣接した状態でエリアＺ１１〜Ｚ１４を表示部５に表示させる構成を採用することもできる。なお、以下、波形表示装置１における構成要素と同一の機能を有する構成要素については同一の符号を付して重複した説明を省略する。この波形表示装置１Ａでは、エリアＺ１〜Ｚ５についての画像表示処理およびエリア特定処理と同様にして、エリアＺ１１〜Ｚ１４についての画像表示処理およびエリア特定処理を実行する。この場合、一例として、同図に示すように、エリアＺ１１〜Ｚ１４は、電圧軸に対してそれぞれ９．０Ｖ以上９．５Ｖ未満、９．５Ｖ以上１０．０Ｖ未満、１０．０Ｖ以上１０．５Ｖ未満および１０．５Ｖ以上１１．０Ｖ未満の０．５Ｖ幅で表示される。また、エリアＺ１１〜Ｚ１４は、時間軸に対して共に０．４ｍｓ以上１．６ｍｓ以下の各１．２ｍｓ幅の横長で帯状の領域で表示される。この場合、互いに重なり合うことなく隣接した状態で表示部５の表示画面にカラー表示される。また、一例として、信号波形ＷＳ１１，ＷＳ１２は、電圧軸方向の振動が時間と共に徐々に収束する入力信号Ｓ１の信号波形を表している。
【００３３】
この波形表示装置１Ａでは、信号波形ＷＳ１１，ＷＳ１２の属するエリアの数を識別させることにより、この識別されたエリアの数に基づいて、時間に対する電圧軸方向についての入力信号Ｓ１の収束程度に関する品質を測定者に的確に判別させることができる。この場合、制御部４は、信号波形ＷＳ１１については、エリアＺ１２，Ｚ１３の２つを通過したと特定して、「通過Ｚ１２，Ｚ１３」との特定結果表示Ａを表示部５の表示画面に表示させる。このため、この特定結果から、信号波形ＷＳ１１の属する（通過する）エリアが正確かつ迅速に識別されて、信号波形ＷＳ１１については振動の収束の速い高品質な入力信号Ｓ１であると測定者によって的確に判別される。また、制御部４は、信号波形ＷＳ１２については、エリアＺ１１〜Ｚ１４の４つを通過したと特定して、「通過Ｚ１１〜Ｚ１４」との特定結果表示Ａを表示部５の表示画面に表示させる。このため、この特定結果から、信号波形ＷＳ１２については振動の収束の遅い低品質な入力信号Ｓ１であると測定者に的確に判別させることができる。
【００３４】
このように、この波形表示装置１Ａによれば、制御部４が表示部５の表示画面の縦軸方向に沿って互いに重なり合うことなく隣接した状態で細分化した複数のエリアＺ１１〜Ｚ１４を表示部５の表示画面に識別可能に表示させることにより、１つのエリアを表示させる従来の記録計と比較して、例えば振動する信号波形などの電圧軸方向への信号波形ＷＳの変化の程度を信号波形ＷＳの属するエリアの数によって特定することができるため、電圧軸方向についての入力信号Ｓ１の収束程度に関する品質を測定者に的確に判別させることができる。
【００３５】
なお、エリアＺ１〜Ｚ５およびエリアＺ１１〜Ｚ１４のように４つのエリアを設定した例について説明したが、エリアの数は、入力信号Ｓ１の検査規格等に応じて２以上の任意の数に設定することができる。また、エリアＺ１〜Ｚ５およびエリアＺ１１〜Ｚ１４のように各エリアを長方形に設定した例について説明したが、平行四辺形や菱形等の任意の形状に設定することができる。また、各エリアＺ１〜Ｚ５および各エリアＺ１１〜Ｚ１４を同一の形状に設定した例について説明したが、相似形や異なる形状（例えば辺の長さの異なる長方形）に設定することもできる。
【００３６】
また、信号波形ＷＳの一部または全部が属する（通過）するエリアを特定結果表示Ａとして表示部５の表示画面に表示する例について説明したが、信号波形ＷＳの存在するエリアを特定した特定結果に基づいて例えば「高速品」、「中高速品」および「低速品」等の判定対象体の品質の程度を示す文字や記号（本発明における結果情報の一例）を、「合格品」および「不合格品」などの判定結果と共にまたは判定結果とは別に表示させることもできる。また、特定結果表示Ａを表示部５の表示画面に表示させる例について説明したが、この表示と共に、または、この表示に代えて、特定結果に基づく結果情報（例えば特定したエリアを示す「Ｚ１」等の情報や「高速品」などの情報）の外部機器へのデータとしての出力や、音声での出力（いずれも報知の一例）を行う構成を採用することもできる。また、本発明における測定値についても、上記の電圧に限定されず、入力信号についての電流値や位相値等の各種電気的パラメータを測定値とすることができる。
【００３７】
さらに、本発明は、ロジックＩＣに限らず、例えば、電磁弁などのバルブ、フォトカプラおよびリレー等の各種判定対象体に適用することができる。また、入力信号Ｓ１の立ち上がり波形についてエリア特定処理を実行する例について説明したが、入力信号Ｓ１の立ち下がり波形などの各種波形についても同様にしてエリア特定処理を実行させることができる。
【図面の簡単な説明】
【００３８】
【図１】波形表示装置１の構成を示すブロック図である。
【図２】ランク判定エリアＺ１〜Ｚ５が表示された状態の表示部５の表示画面図である。
【図３】ランク判定エリアＺ１１〜Ｚ１４が表示された状態の表示部５の表示画面図である。
【符号の説明】
【００３９】
１，１Ａ  波形表示装置
２  測定部
４  制御部
５  表示部
７  ＲＯＭ
８  ＲＡＭ
Ａ  特定結果表示
Ｚ１〜Ｚ５、Ｚ１１〜Ｚ１４  ランク判定エリア
Ｄａ〜Ｄｄ  エリアデータ
ＷＳ１〜５，ＷＳ１１，ＷＳ１２  信号波形
【図１】
2006145267.tif 000003
【図２】
2006145267.tif 000004
【図３】
2006145267.tif 000005